(57)【要約】【課題】切欠きや突出部分のない台紙から組み立てられるようにし資源の節約を図った、二つの空室を有する段ボール箱の提供。【解決手段】正方形または長方形をなす台紙１の底板２に対して、主側壁板６，６等を起立させ、副側壁板８，８、仕切壁板１１，１１、および、糊代片１３，１３をそれぞれ折曲し、さらに、副側壁板１５，１５を折曲して、その副側壁板１５，１５と上記糊代片１３，１３とを接着することにより、上記底板２上に、空室Ａ，Ｂを区画形成し、その後、主側壁板３ｂを起立させ、また、主側壁板３ａ等を起立させ、蓋板４を折曲し、さらに、糊代片４ａ，４ｂ，４ｃを折曲してそれぞれ主側壁板３ｂ，６，６に接着することにより、上記空室Ａ，Ｂの上面開口を塞いでなる段ボール箱。【選択図】  図４
2004331186.tif 000002
【特許請求の範囲】
【請求項１】
正方形または長方形の輪郭形状をなす台紙（１）が、長方形の底板（２）の両側対向長辺縁にそれと同形同大の主側壁板（３ａ，３ｂ）を連設し、さらに、それらのうち一方の上記主側壁板（３ａ）の外方に、該主側壁板（３ａ）と同形同大の蓋板（４）を連設し、その蓋板（４）の遊端側辺縁（長辺縁）に糊代片（４ａ）を、同蓋板（４）の両側対向短辺縁に糊代片（４ｂ，４ｃ）を連設し、上記底板（２）の両側対向短辺縁に略正方形の主側壁板（６，６）を連設し、その主側壁板（６，６）の一側辺縁（上記底板（２）の長辺の延長線上の辺縁）に、上記主側壁板（３ａ）と並列にし、かつ、その主側壁板（３ａ）との間に切込み（９，９）を、また、上記糊代片（４ｂ，４ｃ）との間に切込み（１０，１０）を形成して、略正方形の副側壁板（８，８）を連設し、その副側壁板（８，８）の一側辺縁（上記主側壁板（６，６）の反対側の辺縁）には、上記糊代片（４ｂ，４ｃ）と並列にして、かつ、その糊代片（４ｂ，４ｃ）との間に切込み（１２，１２）を形成して、該副側壁板（８，８）よりも幅狭にした仕切壁板（１１，１１）を連設し、さらにその仕切壁板（１１，１１）の遊端側辺縁には、上記糊代片（４ａ）と並列にして、かつ、その糊代片（４ａ）との間に切込み（１４ａ，１４ａ）を、また、上記糊代片（４ｂ，４ｃ）との間に切込み（１４ｂ，１４ｃ）を形成して、上記副側壁板（８，８）と同幅にした糊代片（１３，１３）を連設し、また、上記主側壁板（６，６）の他側辺縁（上記副側壁板（８，８）の反対側の辺縁）には、上記主側壁板（３ｂ）と並列にし、かつ、それとの間に切込み（１６，１６）を形成して、略正方形の副側壁板（１５，１５）を連設してなるものであり、
水平に載置したその台紙（１）の底板（２）に対して、主側壁板（６，６）を垂直に起立させるとともに、上記副側壁板（８，８）を主側壁板（６，６）に対して、仕切壁板（１１，１１）を副側壁板（８，８）に対して、また、糊代片（１３，１３）を仕切壁板（１１，１１）に対してそれぞれ直角に折曲し、さらに、副側壁板（１５，１５）を、主側壁板（６，６）に対して直角に折曲して、その副側壁板（１５，１５）と上記糊代片（１３，１３）とを接着することにより、上記底板２上に、上記主側壁板（６，６）、副側壁板（８，８，１５，１５）および仕切壁板（１１，１１）に囲繞され、かつ、上面を開口させた空室（Ａ，Ｂ）を、それらの仕切壁板（１１，１１）を隣接重合させた状態で区画形成し、その後、主側壁板（３ｂ）を底板（２）に対して直角に起立させ、主側壁板（３ａ）を底板（２）に対して直角に起立させ、蓋板（４）を主側壁板（３ａ）に対して直角に折曲し、上記糊代片（４ａ，４ｂ，４ｃ）を、蓋板（４）に対して直角に折曲してそれぞれ主側壁板（３ｂ，６，６）に接着することにより、上記空室（Ａ，Ｂ）の上面開口を塞ぐようにしてなることを特徴とする段ボール箱。
【発明の詳細な説明】
【０００１】
【発明の属する技術分野】
本発明は、内部を仕切壁板で二つの空室に区画した段ボール箱に関する。
【０００２】
【従来の技術】
この種の段ボール箱としては、従来より、各種構造のものが提案されている。
たとえば、特開２００１−３２８６２０号公報（特許文献１）記載のものは、一重の側壁板により形成される箱本体内を、仕切壁板で区画した各室の底部に底板の一重部分と二重部分ができ、そこに収納したペットボトル等の収納物の高さが不揃いになるのを、底部全域で底板を二重にして段差を生じないように改善し、そのことにより同時に、底部全域の強度の向上を図っている。
【０００３】
【特許文献１】
特開２００１−３２８６２０号公報
【０００４】
【発明が解決しようとする課題】
しかし、その段ボール箱は、切欠きや突出部分を形成した所要形状の台紙より組み立てられるものであるから（特許文献１、図１参照）、その台紙に、必要な切欠きや突出部分を予め形成しておく必要があり、その加工のための手間がかかるとともに、これに伴って廃棄される切れ端の分だけ資源の無駄が生じることとなっていた。
【０００５】
また、段ボール箱に収納物を収納梱包する作業を、所定の自動収納梱包ラインで自動的に行う場合、底部を二重にする上記のような段ボール箱にあっては、当該段ボール箱を組み立てた後に、その段ボール箱に上面開口を通じて収納物を入れざるを得ないと認められる。
【０００６】
それは、組立て途中の一重の底部に収納物を乗載した後で、それらの間に他の底板を挿入することにより二重にすることは困難だからである。
【０００７】
また、収納物を収納梱包した段ボール箱は、その出荷輸送および保管の何れにおいても、複数段に積み重ねられるのが普通であるが、その場合には、特に下段のものが圧し潰されるのを避けなければならない。
たとえば、各種建築用流体材料を収納する容器として、環境保護等のため、金属製材料に代えて合成樹脂材料を用い、肉薄かつ柔軟に成形したものがあるが、そのような柔軟な容器を収納梱包する段ボール箱には、十分な強度が必要であり、特許文献１記載の上記段ボール箱のように、側壁板が一重の場合には、十分な強度を得るために肉厚の段ボールを採用するとか、他の補強材を使うなどして所定の補強を行う必要があるという不利が生じる。
【０００８】
そこで本発明は、第１に、台紙の切欠きや突出部分を無くし、資源の節約を図ることができ、第２に、底部に段差が生じることをなくすとともに、所定の自動収納梱包ラインにおいて容易に収納物を収納梱包することができ、第３に、側壁板の一部を二重にすることにより、比較的肉薄の段ボールを使用しても出荷輸送および保管の際に複数段積み重ねることに、十分耐えられる強度を有する段ボール箱を提供しようとするものである。
【０００９】
【課題を解決するための手段】
請求項１記載の本発明段ボール箱は次の構成からなる。
（１）正方形または長方形の輪郭形状をなす台紙１が、長方形の底板２の両側対向長辺縁にそれと同形同大の主側壁板３ａ，３ｂを連設し、さらに、それらのうち一方の上記主側壁板３ａの外方に、該主側壁板３ａと同形同大の蓋板４を連設し、その蓋板４の遊端側辺縁長辺縁に糊代片４ａを、同蓋板４の両側対向短辺縁に糊代片４ｂ，４ｃを連設し、上記底板２の両側対向短辺縁に略正方形の主側壁板６，６を連設し、その主側壁板６，６の一側辺縁（上記底板２の長辺の延長線上の辺縁）に、上記主側壁板３ａと並列にし、かつ、その主側壁板３ａとの間に切込み９，９を、また、上記糊代片４ｂ，４ｃとの間に切込み１０，１０を形成して、略正方形の副側壁板８，８を連設し、その副側壁板８，８の一側辺縁（上記主側壁板６，６の反対側の辺縁）には、上記糊代片４ｂ，４ｃと並列にして、かつ、その糊代片４ｂ，４ｃとの間に切込み１２，１２を形成して、該副側壁板８，８よりも幅狭にした仕切壁板１１，１１を連設し、さらにその仕切壁板１１，１１の遊端側辺縁には、上記糊代片４ａと並列にして、かつ、その糊代片４ａとの間に切込み１４ａ，１４ａを、また、上記糊代片４ｂ，４ｃとの間に切込み１４ｂ，１４ｃを形成して、上記副側壁板８，８と同幅にした糊代片１３，１３を連設し、また、上記主側壁板６，６の他側辺縁（上記副側壁板８，８の反対側の辺縁）には、上記主側壁板３ｂと並列にし、かつ、それとの間に切込み１６，１６を形成して、略正方形の副側壁板１５，１５を連設してなるものであり、
（２）水平に載置したその台紙１の底板２に対して、主側壁板６，６を垂直に起立させるとともに、上記副側壁板８，８を主側壁板６，６に対して、仕切壁板１１，１１を副側壁板８，８に対して、また、糊代片１３，１３を仕切壁板１１，１１に対してそれぞれ直角に折曲し、さらに、副側壁板１５，１５を、主側壁板６，６に対して直角に折曲して、その副側壁板１５，１５と上記糊代片１３，１３とを接着することにより、上記底板２上に、上記主側壁板６，６、副側壁板８，８，１５，１５および仕切壁板１１，１１に囲繞され、かつ、上面を開口させた空室Ａ，Ｂを、それらの仕切壁板１１，１１を隣接重合させた状態で区画形成し、その後、主側壁板３ｂを底板２に対して直角に起立させ、主側壁板３ａを底板２に対して直角に起立させ、蓋板４を主側壁板３ａに対して直角に折曲し、上記糊代片４ａ，４ｂ，４ｃを、蓋板４に対して直角に折曲してそれぞれ主側壁板３ｂ，６，６に接着することにより、上記空室Ａ，Ｂの上面開口を塞ぐようにしてなる。
【００１０】
【発明の実施の形態】
以下、本発明段ボール箱を図示の実施形態について詳しく説明する。
【００１１】
１は、正方形または長方形の輪郭形状をなす台紙で、それは、長方形の底板２の両側対向長辺縁にそれと同形同大の主側壁板３ａ，３ｂを連設し、さらにそれらのうち一方の主側壁板３ａの外方に、該主側壁板３ａと同形同大の蓋板４を連設している。
４ａは、上記蓋板４の遊端側辺縁（長辺縁）に連設した糊代片、４ｂ，４ｃは、その蓋板４の両側対向短辺縁に連設した糊代片である。上記糊代片４ｂ，４ｃの所要位置には、手掛孔５，５が開設されている。
【００１２】
６，６は上記底板２の両側対向短辺縁に連設された略正方形の主側壁板で、それらの所要位置には、手掛孔７，７が開設されている。
【００１３】
８，８は、上記主側壁板６，６の一側辺縁（上記底板２の長辺の延長線上の辺縁）に、上記主側壁板３ａと並列にし、かつ、その主側壁板３ａとの間に切込み９，９を形成し、また、上記糊代片４ｂ，４ｃとの間に切込み１０，１０を形成して連設された略正方形の副側壁板である。
その副側壁板８，８の一側辺縁（上記主側壁板６，６の反対側の辺縁）には、該副側壁板８，８よりも幅狭にした仕切壁板１１，１１が、上記糊代片４ｂ，４ｃと並列にして、かつ、それら糊代片４ｂ，４ｃとの間に切込み１２，１２を形成して連設されている。
そして、さらにその仕切壁板１１，１１の遊端側辺縁には、上記副側壁板８，８と同幅にした糊代片１３，１３が、上記糊代片４ａと並列にして、かつ、その糊代片４ａとの間に切込み１４ａ，１４ａを、また、上記糊代片４ｂ，４ｃとの間に切込み１４ｂ，１４ｃを形成して連設されている。
【００１４】
また、上記主側壁板６，６の他側辺縁（上記副側壁板８，８の反対側の辺縁）には、略正方形の副側壁板１５，１５が、上記主側壁板３ｂと並列にして、かつ、それとの間に切込み１６，１６を形成して連設されている。
【００１５】
上記台紙１は、全体として長方形をなし、切欠きや突出部分が全くないので、その製作の際に無駄な切れ端部分が生じず、資源の節約および費用の削減が図れるし、また、長方形に裁断した段ボールに、上記切込み９…，１０…，１２…，１４ａ…，１４ｂ，１４ｃ，１６…を入れることによって簡単に製作することができる。なお、全体が正方形となるようにしてもよいこと明らかである。
【００１６】
上記台紙１を、本発明段ボール箱に組み立てるには以下のようにする。
【００１７】
まず、水平に載置した台紙１の底板２に対して、主側壁板６，６を、副側壁板８，８，１５，１５、仕切壁板１１，１１，糊代片１３，１３ごと垂直に起立させるとともに、上記副側壁板８，８を主側壁板６，６に対して、仕切壁板１１，１１を副側壁板８，８に対して、また、糊代片１３，１３を仕切壁板１１，１１に対してそれぞれ直角に折曲する（図２，３）。
【００１８】
続いて、副側壁板１５，１５を主側壁板６，６に対して直角に折曲して、上記糊代片１３，１３と接着することにより、底板２上に、上記主側壁板６，６、副側壁板８，８，１５，１５および仕切壁板１１，１１に囲繞され、かつ、上面を開口させた空室Ａ，Ｂが、それらの仕切壁板１１，１１を隣接重合させた状態で区画形成される（図４）。なお、隣接重合させた上記仕切壁板１１，１１同士を互いに接着するようにしてもよい。
【００１９】
次に、主側壁板３ｂを直角に起立させて副側壁板１５，１５に接着する。そして、主側壁板３ａを蓋板４および糊代片４ａ〜４ｃごと、底板２に対して直角に起立させ、該主側壁板３ａを副側壁板８，８に接着する。
そして空室Ａ，Ｂに収納物（図示しない）を収納した後に、蓋板４を主側壁板３ａに対して直角に折曲し、糊代片４ａ，４ｂ，４ｃを、蓋板４に対して直角に折曲して、それぞれ主側壁板３ｂ，６，６に接着し、上記空室Ａ，Ｂの上面開口を塞ぐことにより段ボール箱Ｃが組み上がる。
【００２０】
なお、ここでは、収納物の収納は、空室Ａ，Ｂを側壁板６，６等で囲繞形成した後に行うようにしたが、その収納は、より早い段階で行うようにしてもよく、たとえば、水平に載置した状態の台紙１の底板２上に収納物をまず載置しておき、その後、その収納物の側方の主側壁板６，６を、副側壁板８，８，１５，１５、仕切壁板１１，１１および糊代片１３，１３とともに起立させ、さらに該収納物を囲繞するように、上記副側壁板８，８，１５，１５、仕切壁板１１，１１、糊代片１３，１３を折曲して空室Ａ，Ｂを形成するようにしてもよい。
【００２１】
上記段ボール箱Ｃは、収納物を収納梱包する空室Ａ，Ｂ内が、仕切壁板１１，１１により区画されているので、収納物の収納位置が輸送等の際にずれたりすることがなく、また収納物同士が衝突することによる破損等を防ぐことができる。
【００２２】
また、その空室Ａ，Ｂを囲繞する側壁板の一部が二重に、すなわち、空室Ａ，Ｂの両側の副側壁板８，８および１５，１５に、主側壁板３ａ，３ｂをそれぞれ隣接重合させた状態になっており、さらに、糊代片１３，１３が、上記副側壁板１５に重合接着され、その糊代片１３，１３の部分は三重になっているので、十分な強度を有する。
【００２３】
したがって、比較的肉薄の段ボールにより製作した上記段ボール箱Ｃに収納物を収容し、それを複数段に積み重ねた場合にも、下段のものが押し潰されるというようなことが避けられる。
【００２４】
上記段ボール箱Ｃの空室Ａ，Ｂに収納した収納物の取出しは、糊代片４ａ，４ｂ，４ｃを剥がして蓋板４を開け、空室Ａ，Ｂ双方の上面を開口させることによって行うことができる。
また、その取出しは、蓋板４あるいは該蓋板４から糊代片４ａ，４ｂ，４ｃにかけて予め印刷しておいた所要の切断線（図示せず）に沿ってカッター等で切断することにより空室Ａ，Ｂを開口させて行うとか、あるいは台紙１の該当部分に予めミシン目を入れておいたり、テープ等の切り離し材を沿設しておき、これらに沿って引きちぎって空室Ａ，Ｂを開口させて行うようにしてもよい。
【００２５】
そのほか、上記蓋板４を、その中心線すなわち空室Ａ，Ｂを仕切る仕切壁板１１，１１に沿う位置で切断することにより、上記空室Ａ，Ｂそれぞれの上面を別々に開けられるようにするのも好ましい。
このようにすれば、空室Ａ，Ｂのいずれか一方に収納された収納物だけ取り出しても、他方に収納された収納物についてはそのまま収納梱包状態にしておき、それについては、後刻あらためて取り出すようにすることができる。
すなわち、上記空室Ａ，Ｂは二重の仕切壁板１１，１１によって区画されているから、例えば空室Ｂの上面を開いて、そこに収納梱包した収納物を取り出しても、空室Ａ内の収納物は収納梱包状態に維持されるので保管等に好都合である。
【００２６】
本発明段ボール箱Ｃの組立ておよびそれへの収納物の梱包は、上記の手順によって手作業で行うことも可能であるが、同様の作業を所要の自動収納梱包ラインを用いて行うのが好ましい。
【００２７】
本発明ダンボール箱Ｃは、その底部が一重になっているから、収納物の収納は、その組立て途中の適宜の段階で収納物を底板２上に載置しさえすればよいので、自動収納梱包ラインを用いて容易に収納梱包を行うことができる。
【００２８】
【発明の効果】
以上詳述したところから明らかなように、本発明によれば次の効果を奏するものである。
【００２９】
本発明段ボール箱は、正方形または長方形の輪郭形状をなし、切欠きや突出部分のない台紙から組み立てられるので、その製作の際に無駄な切れ端部分が生じず、資源の節約および費用の削減が図ることができる。
また、収納物を収納する空室が、その底部を一重の底板で形成し、段差をなくしているから当該収納物の高さを不揃いにすることなく整然と収納できる。
このことは、自動収納梱包ラインにおいて、上記空室に収納物を収納梱包するのを支障なく正確に実施できることになる。
【００３０】
さらに、本発明段ボール箱の側壁板は、主側壁板と副側壁板とによる二重部分、および、それらと糊代片とによる三重部分を有するから、比較的肉薄の段ボールを使用しても出荷輸送および保管の際に複数段積み重ねることに、十分耐えられる強度を有する。
【図面の簡単な説明】
【図１】本発明に係る段ボール箱の台紙の展開図である。
【図２】上記段ボール箱の組立て状況を説明するための斜視図である。
【図３】同上。
【図４】同上。
【図５】上記段ボール箱の組上がり状態の斜視図である。
【符号の説明】
Ａ，Ｂ            空室
１                  台紙
２                底板
３ａ，３ｂ，６    主側壁板
４                蓋板
４ａ〜４ｃ，１３  糊代片
８，１５          副側壁板
９，１０，１２，１４ａ〜１４ｃ，１６    切込み
１１              仕切壁板
【図１】
2004331186.tif 000003
【図２】
2004331186.tif 000004
【図３】
2004331186.tif 000005
【図４】
2004331186.tif 000006
【図５】
2004331186.tif 000007